(57)【要約】      （修正有） 【課題】噴霧器で箱体中に薬剤をスプレーすることで、動物に対する呼吸治療を行う医薬に用いられる噴霧器の接続器を提供する。  【解決手段】噴霧器の接続器１は、環状本体１１、環状本体１１と接続する漏斗状本体１２、少なくとも１つの第一凸起部１３、及び少なくとも１つの第二凸起部１４を含み、第一凸起部１３は、第二凸起部１４より環状本体１１の開口側に近く設けられ、第二凸起部１４は、第一凸起部１３より漏斗状本体１２に近く設けられ、且つ漏斗状本体１２の直径は、環状本体１１に近い側から、環状本体１１から離れる他の一側に向かって次第に増大する。これにより、異なる直径を有する孔又は異なる側壁の厚みを有する箱体に組み合わせて、製造コストの削減及び材料と空間の節約を有効に実現することができる。【選択図】図１
0003215181.tif 000002
【実用新案登録請求の範囲】
【請求項１】
噴霧器の接続器であって、前記噴霧器の接続器は、環状本体、前記環状本体と接続する漏斗状本体、少なくとも１つの第一凸起部、及び少なくとも１つの第二凸起部を含み、  
前記第一凸起部は、前記第二凸起部より前記環状本体の開口側に近く設けられ、前記第二凸起部は、前記第一凸起部より前記漏斗状本体に近く設けられ、且つ前記漏斗状本体の直径は、前記環状本体に近い側から、前記環状本体から離れる他の一側に向かって次第に増大することを特徴とする噴霧器の接続器。
【請求項２】
前記環状本体は、第一直径を有し、前記漏斗状本体は、前記漏斗状本体と前記環状本体が接続する部分において、第二直径を有し、且つ前記第一直径と前記第二直径が等しいことを特徴とする請求項１に記載の噴霧器の接続器。
【請求項３】
前記漏斗状本体は、前記漏斗状本体の前記環状本体から最も離れている側に、第三直径を有し、前記第三直径は、前記漏斗状本体の最大直径であり、且つ前記第二直径は、前記漏斗状本体の最小直径であることを特徴とする請求項２に記載の噴霧器の接続器。
【請求項４】
緩衝部を更に含み、前記緩衝部は、前記漏斗状本体の、前記環状本体から最も離れている側に設けられ、且つ前記緩衝部の直径は、前記第三直径と等しいか、又は第三直径より大きいことを特徴とする請求項３に記載の噴霧器の接続器。
【請求項５】
前記第一凸起部は複数であり、前記複数の第一凸起部は、共に同一直径の第一円周を囲んで対応するように設けられ、且つ前記第二凸起部は複数であり、前記複数の第二凸起部は、共に同一直径の第二円周を囲んで対応するように設けられることを特徴とする請求項１に記載の噴霧器の接続器。  
【請求項６】
前記複数の第一凸起部は、前記環状本体に設けられ、前記複数の第二凸起部は、前記環状本体と前記漏斗状本体との境界に設けられ、且つ前記第一円周は、前記第二円周より小さいことを特徴とする請求項５に記載の噴霧器の接続器。  
【請求項７】
少なくとも１つの第三凸起部を更に有し、前記第三凸起部は、前記漏斗状本体に設けられることを特徴とする請求項６に記載の噴霧器の接続器。  
【請求項８】
前記第三凸起部は複数であり、前記複数の第三凸起部は、共に同一直径の第三円周に渡って対応するように設けられ、前記第二円周は、前記第三円周より小さく、且つ前記第三円周の直径は、前記漏斗状本体の最大直径より小さいことを特徴とする請求項７に記載の噴霧器の接続器。  
【請求項９】
各前記第一凸起部は、前記環状本体の前記開口側から、前記漏斗状本体の前記環状本体から最も離れる一側に向いて、第一テーパー面、第一頂部及び第二テーパー面を順に有し、前記第一テーパー面は、上り傾斜であり、且つ前記第二テーパー面は下り傾斜であり、前記第一頂部とともに山形構造を形成することを特徴とする請求項７に記載の噴霧器の接続器。  
【請求項１０】
各前記第二凸起部において、前記環状本体の前記開口側から、前記漏斗状本体の前記環状本体から最も離れる一側に向いて、第三テーパー面、第二頂部及び第四テーパー面を順に有し、前記第三テーパー面は、上り傾斜であり、且つ前記第四テーパー面は、下り傾斜であることを特徴とする請求項９に記載の噴霧器の接続器。
【請求項１１】
各前記第三凸起部において、前記環状本体の前記開口側から、前記漏斗状本体の前記環状本体から最も離れる一側に向いて、第五テーパー面、第三頂部及び第六テーパー面を順に有し、前記第五テーパー面は、上り傾斜であり、且つ前記第六テーパー面は、下り傾斜であることを特徴とする請求項１０に記載の噴霧器の接続器。
【請求項１２】
前記少なくとも１つの第一凸起部は複数であり、共に設前記環状本体に設けられ、且つ前記少なくとも１つの第二凸起部は複数であり、共に前記漏斗状本体設けられることを特徴とする請求項１に記載の噴霧器の接続器。
【請求項１３】
前記少なくとも１つの第一凸起部は複数であり、共に前記環状本体と前記漏斗状本体との境界に設けられ、且つ前記少なくとも１つの第二凸起部は複数であり、共に前記漏斗状本体に設けられることを特徴とする請求項１に記載の噴霧器の接続器。
【請求項１４】
噴霧器を箱体の外への取り付けに用いられる噴霧器の接続器であって、前記噴霧器の接続器は、  
環状本体、漏斗状本体、複数の第一凸起部、複数の第二凸起部及び複数の第三凸起部を含み、  
前記漏斗状本体は、前記環状本体と接続され、且つ前記漏斗状本体の直径は、前記環状本体に近い一側から、前記環状本体から離れる他の一側に向かって次第に増大し、  
前記複数の第一凸起部は、前記環状本体を囲んで設けられ、  
前記複数の第二凸起部は、前記環状本体と前記漏斗状本体との境界を囲んで設けられ、  
前記複数の第三凸起部は、前記漏斗状本体を囲んで設けられ、  
前記環状本体は、前記箱体の一側の壁の孔に穿設されるとともに、前記環状本体の開口側により前記噴霧器と接続され、且つ前記複数の第一凸起部、前記複数の第二凸起部及び前記複数の第三凸起部のいずれの１つを介して前記孔と緊密に係止され、少なくとも一部の前記漏斗状本体が前記箱体の収容空間に露出されることを特徴とする噴霧器の接続器。  
【考案の詳細な説明】
【技術分野】
【０００１】
本考案は接続器に関し、特に医薬に用いられる噴霧器の接続器に関する。
【背景技術】
【０００２】
近年、様々な医薬用の噴霧器が使用されている。特に、獣医用途において、噴霧器で箱体中に薬剤をスプレーすることで、動物に対して呼吸治療が行われる。家で使用する時に、手持式の噴霧器は特に便利である。
【０００３】
通常、噴霧器は、ペット医薬用途として使用するために箱体に適用される時、噴霧器の噴口が箱体の壁の小孔に対応して接続されるか、又は噴霧器の接続管が箱体の小孔までに延伸されるが、噴霧器の箱体の種類が様々であるため、噴霧器の噴口又は接続管が様々な箱体の小孔の孔径又は箱の壁の厚みに整合しにくいため、噴霧器を箱体に固定することができないか、または霧化後の薬剤が小孔から漏れて薬剤の浪費や薬効の減損をもたらす等の恐れがあった。
【０００４】
そのため、現状の技術的欠点を解決することができ、使用上の利便性及び噴霧器と箱体との整合性を向上させて薬剤の使用性を向上させることができる噴霧器の接続器を開発する必要があった。
【考案の概要】
【考案が解決しようとする課題】
【０００５】
本考案の目的は、従来技術に存在している少なくとも１つの欠点を解決する噴霧器の接続器を提供することである。
【０００６】
本考案の他の目的は、環状本体及び漏斗状本体の構造により、第一凸起部、第二凸起部の設置位置の変化、又は第一凸起部、第二凸起部及び第三凸起部のいずれの一者を介して選択的に箱体の側壁に緊密に係止され、異なる直径を有する孔又は異なる側壁の厚みを有する箱体に組み合わせて、製造コストの削減及び材料と空間の節約を有効に実現することができる、噴霧器の接続器を提供することである。
【０００７】
本考案の他の目的は、漏斗状本体の、環状本体から離れるところに緩衝部が設けられ、取り付け又は携帯時の怪我を回避することができるとともに、箱体に取り付けた後に、周縁の材質特性又は周縁が鋭利すぎることによる怪我から保護することができる、噴霧器の接続器を提供することである。
【課題を解決するための手段】
【０００８】
上記の目的を達成するために、本考案の好ましい実施例によると、環状本体、前記環状本体と接続する漏斗状本体、少なくとも１つの第一凸起部、及び少なくとも１つの第二凸起部を含み、前記第一凸起部は、前記第二凸起部より前記環状本体の開口側に近く設けられ、前記第二凸起部は、前記第一凸起部より前記漏斗状本体に近く設けられ、且つ前記漏斗状本体の直径は、前記環状本体に近い側から、前記環状本体から離れる他の一側に向かって次第に増大することを特徴とする、噴霧器の接続器を提供する。
【０００９】
上記の目的を達成するために、本考案の他の好ましい実施例によると、環状本体、漏斗状本体、複数の第一凸起部、複数の第二凸起部及び複数の第三凸起部を含み、前記漏斗状本体は、前記環状本体と接続され、且つ前記漏斗状本体の直径は、前記環状本体に近い一側から、前記環状本体から離れる他の一側に向かって次第に増大し、前記複数の第一凸起部は、前記環状本体を囲んで設けられ、前記複数の第二凸起部は、前記環状本体と前記漏斗状本体との境界を囲んで設けられ、前記複数の第三凸起部は、前記漏斗状本体を囲んで設けられ、前記環状本体は、前記箱体の一側の壁の孔に穿設されるとともに、前記環状本体の開口側により前記噴霧器と接続され、且つ前記複数の第一凸起部、前記複数の第二凸起部及び前記複数の第三凸起部のいずれの１つを介して前記孔と緊密に係止され、少なくとも一部の前記漏斗状本体が前記箱体の収容空間に露出される、噴霧器を箱体の外への取り付けに用いられる噴霧器の接続器を提供する。
【図面の簡単な説明】
【００１０】
【図１】本考案の好ましい実施例の噴霧器の接続器の構造を示す図である。
【図２】図１に示す噴霧器の接続器の構造を示す他の図である。
【図３】図１に示す噴霧器の接続器を一側からみた図である。
【図４】本考案の噴霧器の接続器を用いる噴霧器の箱体への取り付けの完成を示す分解図である。
【図５】本考案の噴霧器の接続器を用いる噴霧器の箱体への取り付けの完成を示す図である。
【図６】本考案の噴霧器の接続器を用いて噴霧器を他の箱体に取り付けることを示す分解図である。
【図７】本考案の噴霧器の接続器を用いる噴霧器の他の箱体への取り付けの完成を示す図である。
【図８】本考案噴霧器の接続器を用いて噴霧器を他の箱体へ取り付けることを示す分解図である。
【図９】本考案の他の実施例の噴霧器の接続器の構造を示す図である。
【図１０】図９に示す噴霧器の接続器を一側からみた図である。
【図１１】本考案の他の好ましい実施例の噴霧器の接続器の構造を示す図である。
【図１２】図１１に示す噴霧器の接続器を一側からみた図である。
【図１３】本考案の他の好ましい実施例の噴霧器の接続器の構造を示す図である。
【図１４】図１３に示す噴霧器の接続器を一側からみた図である。
【考案を実施するための形態】
【実施例】
【００１１】
以下、本発明の特徴及び利点を表現する代表的な実施例を説明する。本発明は、異なる態様に様々な変形があり、これらの変形は何れも本発明の範囲を脱離しなく、且つ、その中の説明及び図面は、説明のために用いたもので、本発明を制限するものではない。
【００１２】
図１、図２及び図３を参考すると、図１は、本考案の好ましい実施例における噴霧器の接続器の構造を示す図であり、図２は、図１に示す噴霧器の接続器の構造を示す他の図であり、図３は、図１に示す噴霧器の接続器の一側から見た図である。図１、図２及図３に示すように、本考案の好ましい実施例の噴霧器の接続器１は、本体１０を含み、本体１０は、お互い接続される環状本体１１及び漏斗状本体１２を含み、且つ噴霧器の接続器１は、本体１０の外表面に設けられる少なくとも１つの第一凸起部１３及び少なくとも１つの第二凸起部１４を含む。環状本体１１の開口側は、噴霧器に接続される。第一凸起部１３は、第二凸起部１４より、環状本体１１の開口側に近づくように設けられ、第二凸起部１４は、第一凸起部１３より、漏斗状本体１２に近づくように設けられ、且つ漏斗状本体１２の直径は、環状本体１１に近づく一側から、環状本体１１から離れる他の一側に向かって次第に増大する。これにより、異なる直径を有する孔又は異なる側壁の厚みの箱体に適用することができる。
【００１３】
本考案によると、環状本体１１は、第一直径を有し、漏斗状本体１２は、漏斗状本体１２と環状本体１１とが接続する部分において第二直径を有し、第一直径は第二直径に等しく、且つ第二直径は、漏斗状本体１２の最小直径である。言い換えると、環状本体１１と漏斗状本体１２とが接続する部分において完全に整合し、且つ漏斗状本体１２は、環状本体１１から外に向かって延伸するとともに直径が次第に増大し、且つ環状本体１１は、漏斗状本体１２と一体成形されることが好ましいが、この限りではない。更に、漏斗状本体１２は、環状本体１１から最も離れる他の一側において第三直径有し、且つ第三直径は、漏斗状本体１２の最大直径である。言い換えると、漏斗状本体１２は、環状本体１１から最も離れるところにおいて最大直径を有する。
【００１４】
幾つかの実施例において、本考案の噴霧器の接続器１は、さらに少なくとも１つの第三凸起部１５を有することができ、第三凸起部１５は、漏斗状本体１２に設けられ、且つ第三凸起部１５は、第一凸起部１３及び第二凸起部１４より、環状本体１１から離れている。好ましくは、第一凸起部１３は、環状本体１１に設けられ、且つ第二凸起部１４は、環状本体１１と漏斗状本体１２との境界に設けられるが、この限りではない。また、第一凸起部１３、第二凸起部１４及び/又は第三凸起部１５の数が複数である場合、例えば三つの第一凸起部１３、三つの第二凸起部１４及び三つの第三凸起部１５である場合、各第一凸起部１３は、共に対応するように同一直径の第一円周を囲んで設けられ、各第二凸起部１４は、共に対応するように同一直径の第二円周を囲んで設けられ、且つ各第三凸起部１５は、共に対応するように同一直径の第三円周を囲んで設けられ、本実施例において、第一円周は第二円周より小さく、且つ第二円周は第三円周より小さいが、この限りではない。複数の第一凸起部、複数の第二凸起部又は複数の第三凸起部の組み合わせにより、係止を安定させるとともに歪を回避する等の効果を達成することができる。言い換えると、複数の第一凸起部１３は、同一円周において環状本体１１を囲んで設けられ、且つ複数の第一凸起部１３の同一の点、例えば複数の第一凸起部１３の中心点は、実質的に１つの平面を形成し、且つ前記平面は、環状本体１１の中心軸に垂直する。同じく、複数の第二凸起部１４は、同一円周を囲んで環状本体１１と漏斗状本体１２との境界に設けられ、且つ複数の第二凸起部１４の同一点は、実質的に１つの平面を形成し、且つ前記平面は、環状本体１１の中心軸に垂直し、且つ複数の第三凸起部１５は、同一円周を囲んで漏斗状本体１２に設けられ、且つ複数の第三凸起部１５の同一点は、実質的に１つの平面を形成し、且つ前記平面は、環状本体１１の中心軸に垂直する。複数の第一凸起部１３、複数の第二凸起部１４及び複数の第三凸起部１５が、それぞれ囲んで設けられた第一円周、第二円周及び第三円周の対応する直径は異なり、且つ第三円周に対応する直径は、漏斗状本体１２の第三直径（最大直径）より小さい。
【００１５】
幾つかの実施例において、本考案の噴霧器の接続器１は、更に緩衝部１６を有することができ、緩衝部１６は、漏斗状本体１２から最も離れる環状本体１１のところに設けられ、漏斗状本体１２が最大直径（第三直径）を有するところにあり、且つ緩衝部１６の直径は、第三直径より等しいか又は大きく、漏斗状本体１２に粘着又は覆設されるか、又は漏斗状本体１２と一体成形されてもよいが、この限りではない。
【００１６】
本考案によると、第一凸起部１３は、環状本体１１の開口に近い側から緩衝部１６に近い側（即ち漏斗状本体１２が環状本体１１から最も離れる他の一側）まで、第一テーパー面１３１、第一頂部１３２及び第二テーパー面１３３を順に有し、このように、第二凸起部１４は、環状本体１１の開口に近い側から緩衝部１６に近い側まで、第三テーパー面１４１、第二頂部１４２及び第四テーパー面１４３順に有し、第三凸起部１５は、環状本体１１の開口に近い側から緩衝部１６に近い側まで、第五テーパー面１５１、第三頂部１５２及び第六テーパー面１５３を順序に有する。第一テーパー面１３１、第三テーパー面１４１及び第五テーパー面１５１が上り傾斜であることが好ましく、且つ第二テーパー面１３３、第四テーパー面１４３及び第五テーパー面１５３が下り傾斜であることが好ましい。言い換えると、第一凸起部１３、第二凸起部１４及び第三凸起部１５は、共に頂部まで上り傾斜で、底部まで下り傾斜である山形構造であることが好ましい。
【００１７】
なお、本考案の図３では、第一凸起部１３、第二凸起部１４及び第三凸起部１５をお互い交錯するように配列したことを示しているが、実際に第一凸起部１３、第二凸起部１４及び第三凸起部１５の位置は、完全に整列されることができ、同一の参考点において、各第一凸起部１３、各第二凸起部１４及び各第三凸起部１５は、円周の同一の位置に位置され、各二つの隣り合う第一凸起部１３、第二凸起部１４及び第三凸起部１５に対応する中心角も同一である(図示せず)。なお、第一凸起部１３、第二凸起部１４が交錯して配列する場合(Y軸において異なる位置を有する)、各テーパー面は、X軸において部分的に重なるか、部分的に相接するか又は一定の間隔を有することができ、異なる凸起部の頂部の間に一定の空間を有し、側壁の厚みの異なる箱体に適用されることができ、例えば、第一凸起部１３の第二テーパー面１３３(下りテーパー面)の一部が、漏斗状本体に位置され、第二凸起部１４の第三テーパー面１４１(上りテーパー面)の一部が、環状本体に位置され、第二テーパー面１３３と第三テーパー面１４１とがX軸において部分的に重なり(図１示すように)、第一凸起部１３、第二凸起部１４がY軸において整列されている場合、第二テーパー面１３３と第三テーパー面１４１とがX軸において重なることはできないが、相接するか一定の間隔を有することができる。
【００１８】
図１を、図４、図５、図６、図７及び図８を組み合わせて参考すると、図４は、本考案の噴霧器の接続器を用いて噴霧器を箱体に取り付けることを示す分解図であり、図５は、本考案の噴霧器の接続器を用いて噴霧器を箱体に取り付けることが完成していることを示す図であり、図６は、本考案の噴霧器の接続器を用いて噴霧器を他の箱体に取り付けることを示す分解図であり、図７は、本考案の噴霧器の接続器を用いて噴霧器を他の箱体に取り付けることが完成していることを示す図であり、図８は、本考案噴霧器の接続器を用いて噴霧器を他の箱体に取り付けることが完成していることを示す図である。図１、図４、図５、図６、図７及び図８に示すように、本考案の噴霧器の接続器１を用いて噴霧器２を箱体３ (ペットボックス等)に取り付ける時、接続器１を箱体３内から、環状本体１１が箱体３の側壁３１の孔３１０を貫通するように、即ち環状本体１１が箱体３の側壁３１の孔に穿設され、環状本体１１と箱体外に設けられる噴霧器２の噴頭２０とが接続され、第一凸起部１３、第二凸起部１４及び第三凸起部１５のいずれの一者を介して側壁３１と緊密に係止される。同時に、緊密な係止は、漏斗状本体１２の次第に増大する直径が補助作用により、異なる直径を有する孔の箱体適用することができ、通常取り付ける時に、箱の中から箱の外への力を施すため、第一凸起部１３、第二凸起部１４又は第三凸起部１５は、常に緊密に孔３１０に係止され、その作動は、具体的に、噴霧器の接続器１に箱の中から箱の外への力を施し、孔３１０の周囲の側壁３１が第一テーパー面１３１、第三テーパー面１４１又は第五テーパー面１５１に沿って第一頂部１３２、第二頂部１４２又は第三頂部１５２を超え、最後に第二テーパー面１３３、第四テーパー面１４３又は第五テーパー面１５３に係止され、主な係止は、対応する第一頂部１３２、第二頂部１４２又は第三頂部１５２により限位されるため、緊密に係止されて緩むことがない。
【００１９】
図４及び図５に示す実施例において、 箱体３の孔３１０の直径は、第二直径と大抵同一であるため、噴霧器の接続器１が第一凸起部１３を介して孔３１０とに緊密に係止される。
【００２０】
図６及び図７に示す実施例において、箱体４の孔４１０の円周は、複数の第三凸起部１５に接続される円周と大抵同一であるため、噴霧器の接続器１は、第三凸起部１５を介して孔４１０に緊密に係止される。なお、接続器１には限位するための緩衝部１６が設けられているため、接続器１の全体が箱体の孔から穿出されることを回避することができ、また、ユーザは、緩衝部１６を介して接続器１を箱体の側壁から分離することができる。
【００２１】
図４に示すように、箱体３は第一厚みT１を有し、他の実施例において、図８に示すように、箱体５の側壁５１は、孔３１０と同じ直径の孔５１０を有するが、側壁５１は、第一厚みT１とは異なる第二厚みT２を有し、且つ第二厚みT２は第一厚みT１より大きく、 噴霧器の接続器１も第一凸起部１３を介して孔に緊密に５１０係止される。
【００２２】
本考案によると、噴霧器の接続器は、必要に応じて組み合わせる型番又は規格等の条件に準拠して設計を変更することができる。図９及び図１０を参考すると、図９は、本考案の他の好ましい実施例の噴霧器の接続器の構造を示すであり、図１０は、図９に示す噴霧器の接続器の一側から見た図である。図９及び図１０に示すように、噴霧器の接続器６は、環状本体６１、漏斗状本体６２、少なくとも１つの第一凸起部６３及び少なくとも１つの第二凸起部６４を含む。環状本体６１、漏斗状本体６２、第一凸起部６３及び第二凸起部６４は、前述の実施例の環状本体１１、漏斗状本体１２、第一凸起部１３及び第二凸起部１４と同様であるため、説明を省略する。なお、本実施例の噴霧器の接続器６の第一凸起部６３は、環状本体６１に設けられ、且つ第二凸起部６４は、環状本体６１と漏斗状本体６２との境界に設けられる。
【００２３】
本考案によると、噴霧器の接続器は、必要に応じて組み合わせる型番又は規格等の条件に準拠して設計を変更することができる。図１１及び図１２を参考すると、図１１は、本考案の他の実施例の噴霧器の接続器の構造を示す図であり、図１２は、図１１に示す噴霧器の接続器の一側から見た図である。図１１及図１２に示すように、噴霧器の接続器７は、環状本体７１、漏斗状本体７２、少なくとも１つの第一凸起部７３及び少なくとも１つの第二凸起部７４を含む。環状本体７１、漏斗状本体７２、第一凸起部７３及び第二凸起部７４は、前述の実施例の環状本体１１、漏斗状本体１２、第一凸起部１３及び第二凸起部１４と同様であるため、説明を省略する。なお、本実施例において、噴霧器の接続器７の第一凸起部７３は、環状本体７１に設けられ、且つ第二凸起部７４は、漏斗状本体７２が設けられる。
【００２４】
本考案のよると、噴霧器の接続器は、必要に応じて組み合わせる型番又は規格等の条件に準拠して設計を変更することができる。図１３及び図１４参考すると、図１３は、本考案の他の好ましい実施例の噴霧器の接続器の構造を示す図であり、図１４は、図１３に示す噴霧器の接続器の一側から見た図である。図１３及び図１４に示すように、噴霧器の接続器８は、環状本体８１、漏斗状本体８２、少なくとも１つの第一凸起部８３及び少なくとも１つの第二凸起部８４を含む。環状本体８１、漏斗状本体８２、第一凸起部８３及び第二凸起部８４は、前述の実施例の環状本体１１、漏斗状本体１２、第一凸起部１３及び第二凸起部１４と同様であるため、説明を省略する。なお、本実施例における噴霧器の接続器８の第一凸起部８３は、環状本体８１と漏斗状本体８２との境界に設けられ、且つ第二凸起部８４は、漏斗状本体８２に設けられる。
【００２５】
本考案により提供される噴霧器の接続器は、環状本体及び漏斗状本体の構造により、第一凸起部、第二凸起部の設置位置の変化、又は第一凸起部、第二凸起部及び第三凸起部のいずれの一者を介して選択的に箱体の側壁に緊密に係止され、異なる直径を有する孔又は異なる側壁の厚みを有する箱体に組み合わせて、製造コストの削減及び材料と空間の節約を有効に実現することができる。また、本考案の噴霧器の接続器の漏斗状本体の、環状本体から離れるところに緩衝部が設けられ、ユーザとペットが周縁の材質特性又は周縁が鋭利すぎることによる怪我等を防止することができ、接続器の取り付けと携帯が便利になる。
【００２６】
本発明は、特許請求の範囲内において、当業者に適宜に変更されることができる。
【符号の説明】
【００２７】
１：噴霧器の接続器     
１１：環状本体     
１２：漏斗状本体     
１３：第一凸起部     
１３１：第一テーパー面テーパー面     
１３２：第一頂部     
１３３：第二テーパー面     
１４：第二凸起部     
１４１：第三テーパー面     
１４２：第二頂部     
１４３：第四テーパー面     
１５：第三凸起部     
１５１：第五テーパー面     
１５２：第三頂部     
１５３：第六テーパー面     
１６：緩衝部     
２：噴霧器     
２０：噴頭     
３：箱体     
３１：側壁     
３１０：孔     
４：箱体     
４１：側壁     
４１０：孔     
５：箱体     
５１：側壁     
５１０：孔     
T１：第一厚み     
T２：第二厚み     
６：噴霧器の接続器     
６１：環状本体     
６２：漏斗状本体     
６３：第一凸起部     
６４：第二凸起部     
７：噴霧器の接続器     
７１：環状本体     
７２：漏斗状本体     
７３：第一凸起部     
７４：第二凸起部     
８：噴霧器の接続器     
８１：環状本体     
８２：漏斗状本体     
８３：第一凸起部     
８４：第二凸起部     
【図１】
0003215181.tif 000003
【図２】
0003215181.tif 000004
【図３】
0003215181.tif 000005
【図４】
0003215181.tif 000006
【図５】
0003215181.tif 000007
【図６】
0003215181.tif 000008
【図７】
0003215181.tif 000009
【図８】
0003215181.tif 000010
【図９】
0003215181.tif 000011
【図１０】
0003215181.tif 000012
【図１１】
0003215181.tif 000013
【図１２】
0003215181.tif 000014
【図１３】
0003215181.tif 000015
【図１４】
0003215181.tif 000016